(57)【要約】【課題】衣類の乾燥を、アレルギーの発生などの問題なく、衛生的且つ効率的に、エネルギー消費なくして実現する物干し具を提供する。【解決手段】窓ガラス又はサッシ枠などの所定の吸着面に吸着可能な吸盤と、所定の支持体にて当該吸着面と所定の距離を有して、弾性体を備えた一対の挟着体から成り、衣類を挟着可能な洗濯挟みが吊着された構造から成ることにより、直達日射取得効率の高いガラス窓にて、室内における衣類の自然乾燥を可能とする物干し具。【選択図】図４
0003146745.tif 000002
【実用新案登録請求の範囲】
【請求項１】
所定の支持体の一端に所定の吸着手段が固着されるとともに、該所定の支持体の他端が所定の挟着手段を備えることを特徴とする衣類用物干し具。
【請求項２】
所定の吸着手段が、平滑な面に吸着可能な吸盤である請求項１に記載の衣類用物干し具。
【請求項３】
所定の支持体が、所定の長さを有する棒状体である請求項１又は請求項２に記載の衣類用物干し具。
【請求項４】
所定の挟着手段が、開閉可能に形成された相対向状の挟着体と該相対向状の挟着体の開閉用に設けられた弾性体とから成る洗濯挟みであって、該洗濯挟みが所定の支持体の他端に吊着されて備えられることを特徴とする請求項１ないし請求項３のいずれかに記載の衣類用物干し具。
【請求項５】
所定の支持体が、所定の吸着手段の吸着可能な面と垂直を成して固着されることを特徴とする請求項１ないし請求項４のいずれかに記載の衣類用物干し具。
【考案の詳細な説明】
【技術分野】
【０００１】
本考案は、窓面に吸着可能であることにより、室内にて直射日光による衣類の乾燥が可能となる衣類用物干し具に関するものである。
【背景技術】
【０００２】
従来から、洗濯された衣類の乾燥は、各種物干し具を用いた屋外での自然乾燥が主流であった。当該屋外での自然乾燥は、コストが発生しない上、直達日射及び自然風による即乾性のため雑菌の繁殖を防ぐとともに、太陽光に含まれる紫外線による殺菌作用が得られ、衛生上も適切な方法であったが、突発的な降雨などの気象条件が当該屋外での自然乾燥の障害になっていた。さらに、アレルギー体質の当該衣類の使用者に対しては、花粉、粉塵などのアレルギー物質が衣類に付着すると、当該衣類の使用者がアレルギー反応を示すことがあり、この観点からも衣類の屋外での乾燥は問題があった。
【０００３】
こうした観点から、屋外における自然乾燥ではなく、熱風を送風して強制的に衣類を乾燥する乾燥機（例えば特許文献１参照）を用いる方法、浴室内に、温風を送風可能な装置（例えば特許文献２参照）を配設し、当該温風にて浴室内で衣類を強制的に乾燥させる方法があった。しかし、当該２つの方法は、電気、可燃性ガスなどの外部エネルギーが必要であり、ランニングコストが発生する上、上記直達日射による殺菌作用が得難く、衛生上の問題もあった。
【０００４】
上記気象条件及びアレルギー反応の問題を、ランニングコストを発生させることなく解決するためには、当該衣類を、各種物干し具を用いて屋内で自然乾燥させる方法が有効となる。しかし、屋内で当該衣類を自然乾燥させることは、屋外で自然可能させる場合と比して、乾燥速度が遅くなり、湿った状態が長く続くことで、雑菌の繁殖など、衛生上の問題を発生させる可能性が高くなる。且つ上記直達日射による殺菌作用が得難いことも、当該衛生上の問題となる可能性がある。
【０００５】
衣類を速やかに乾燥させるための条件は、衣類周囲の乾球温度が高く、相対湿度が低く、且つ、衣類と周囲の空気との接触面積が大きいことが必要となる。この条件を満たす屋内での自然乾燥の方法として、直達日射を取得可能なガラス窓の直近に、当該ガラス面と平行に衣類を配置して乾燥する方法が適切であると考えられる。
【０００６】
上記ガラス窓の直近にて自然乾燥が可能な方法としては、壁面に設置された水平枠に複数から成る洗濯挟みが吊着された物干し具（例えば特許文献３参照）を用いる方法があるが、当該物干し具をガラス窓に設置するには、ガラス窓又はサッシ枠への所定の固着手段を必要とするため、当該設置に手間が掛かる上、複数から成る衣類を当該洗濯挟みが挟持すると、当該固着手段を配設した箇所への集中荷重が発生し、剛性が十分でないガラス窓又はサッシ枠の破損の可能性があり、安全性に問題があった。また、当該物干し具の構造上、ガラス面に対して衣類が重なってしまうため、衣類をガラス面に対して均一に配設することが困難であり、当該衣類が均一に直達日射を受けることが出来ず、速乾性の喪失が問題であった。
【０００７】
また、他のガラス窓の直近にて自然乾燥が可能な方法として、カーテンレールに設置可能で、複数から成る洗濯挟みが吊着された物干し具物干し具（例えば特許文献４参照）を用いた方法もあるが、当該物干し具においても、カーテンレールへの集中荷重が発生し、剛性が十分でないカーテンレールの破損の可能性があり、安全性に問題があった。且つ、前段落に記載と同様に、衣類が均一に直達日射を受けることが出来ないことによる速乾性の喪失の問題もあった。また、当該設置にもある程度の手間が発生していた。
【特許文献１】特願２００７−３９７７２号公報
【特許文献２】特願２００６−８７５４０号公報
【特許文献３】特願２００７−３６０１９号公報
【特許文献４】特願２００６−３０３３５３号公報
【考案の開示】
【考案が解決しようとする課題】
【０００８】
従来から行われてきた、洗濯された衣類を屋外で自然乾燥させることは、上記のとおり、気象条件により障害が発生し、且つ、アレルギー体質の当該衣類の使用者に対しては、屋外乾燥によりアレルギー物質が衣類に付着することにより、アレルギー反応を引き起こすという問題も発生していた。
【０００９】
上記、気象条件及びアレルギー物質付着の問題を回避するべく乾燥機を用いると、同じく上記のとおり、エネルギー消費のため、ランニングコストが発生してしまう。また、衣類が直達日射を受けないため、紫外線による殺菌効果が得難い問題も発生する。
【００１０】
以上の問題を回避するために、各種物干し具を用いて、当該衣類を屋内で、直達日射を効率的に受け得る方式で自然乾燥させることが考えられるが、従来からの物干し具では、上記集中荷重の問題、設置に手間が掛かる問題、直達日射が効率的に受けられないために発生する速乾性の問題が発生してしまう。
【００１１】
本考案は、室内での洗濯された衣類の乾燥において、且つ上記集中荷重を発生させずに、直達日射を効率的に受け得る形式にてガラス窓近辺に容易に取り付け可能な物干し具を提供することで、上記問題を解決せんとするものである。
【課題を解決するための手段】
【００１２】
請求項１の記述は、本考案の基本構成を表すもので、所定の支持体の一端に、所定の吸着手段が固着され、当該支持体の一端と相対抗する他端が所定の挟着手段を備えるというものである。当該構成により、所定の吸着手段がガラス面又はサッシ枠に吸着可能となるとともに、所定の挟着手段が洗濯された衣類を挟着可能となる。当該吸着手段と当該支持体とは固着されていて、当該挟着手段に挟着された当該衣類の荷重を支えるとともに、当該支持体の介在により、当該吸着手段が吸着する面と衣類との所定の距離を確保するものである。
【００１３】
請求項２の記述は、当該所定の吸着手段に関するもので、当該吸着手段を、平滑な面に吸着可能な吸盤とするものである。当該吸着手段を当該平滑な面に吸着可能な吸盤とすることで、当該吸着面に対して、本物干し具を容易に着脱可能とするものである。
【００１４】
請求項３の記述は、当該所定の支持体に関するもので、当該所定の支持体を、所定の長さを有する棒状体とするものである。当該所定の支持体を所定の長さを有する棒状体とすることで、当該衣類が、当該吸着面に接触することがないよう、当該吸着面と所定の距離を確保することを容易とするものである。
【００１５】
請求項４の記述は、当該所定の挟着手段に関するもので、当該所定の挟着手段を、開閉可能に形成された相対向状の挟着体とこれらの開閉用に設けられた弾性体とから成る洗濯挟みとするものである。且つ、当該洗濯挟みを、当該支持体の当該吸着手段が固着された一端と相対抗する他端が吊着されて備えられるものである。当該洗濯挟みの吊着により、当該衣類を本物干し具から容易に着脱可能とするものである。
【００１６】
請求項５の記述は、当該所定の支持体と当該吸着手段との固着に関するもので、当該支持体を、当該吸着手段の吸着面と垂直を成す形で固着するものである。当該垂直を成す形での固着により、当該衣類が、当該吸着面に接触することがないよう、当該吸着面と所定の距離を確保することを容易とするものである。
【考案の効果】
【００１７】
本考案は、構造上、洗濯された衣類、１件に付きひとつないし複数使用されるものであり、複数から成る衣類を乾燥させる場合においても、当該衣類の荷重が、所定の吸着手段の吸着面に対して等分布と成るため、集中荷重が発生せず、ガラス窓、サッシ枠など剛性が十分でない面にも使用可能である。
【００１８】
また、当該ガラス窓、サッシ枠などの面の任意の位置に吸着可能であるため、当該衣類及びガラス窓の形状に合わせて任意に設置可能である。従って、各種衣類の形状、ガラス窓の日射条件に合わせて、当該衣類のそれぞれがもっとも効率よく日射を取得できるように配置することが可能で、当該衣類を速やかに乾燥させることができる。
【００１９】
また、段落０００５に記載のとおり、衣類を速やかに乾燥させるための条件は、衣類周囲の乾球温度が高く、相対湿度が低く、且つ、衣類と周囲の空気との接触面積が大きいことであるが、本考案では、当該吸着手段の吸着面と所定の距離を有して衣類を挟着する構造であるため、当該衣類が当該吸着面と接触することがない。従って、当該衣類と周囲の空気との接触面積が大きくなり、上記効率的な日射取得の効果と合わせて、当該衣類を速やかに乾燥させることができる。この速乾性により、上記のとおり、当該衣類の衛生上の問題も解決できる。
【００２０】
さらに、当該所定の吸着手段を上記吸盤とすることで、当該吸着面に対して容易に着脱可能である。さらに、所定の挟着手段を上記洗濯挟みとすることで、本物干し具に対して当該衣類の着脱を容易とするものである。また、構造が単純且つ小型であるため、携帯して、外出時に車内などで衣類を乾燥させることも可能である。
【考案を実施するための最良の形態】
【００２１】
所定の支持体に所定の長さを有する棒状体を用い、当該棒状体の一端に、所定の吸着手段として平滑な面に吸着可能な吸盤が固着され、当該棒状態のもう一方の他端に、所定の挟着手段として、開閉可能に形成された相対向状の挟着体とこれらの開閉用の弾性体とから成る洗濯挟みが吊着されたという、本考案の最良の構成を最少の部品点数にて実現した。
【実施例１】
【００２２】
図１は、吸着面を正面とした場合の側方矢視による、本考案の１実施例の構成を表す。１で示される棒状体を支持体として、２で示される吸盤が、３で示される固着スリーブを介して当該棒状体の一端に固着されている。当該吸盤は、軟質樹脂から成るもので、当該吸盤を吸着面に押圧して当該吸盤と当該吸着面とが成す空間が真空状態になることで、平滑な面に吸着可能となっている。
【００２３】
また、当該棒状体の他端には、７で示されるチェーン取付孔が明けられていて、当該チェーン取付孔に、６で示されるチェーンが挿通されて吊り下げられている。当該チェーンはさらに、５で示されるバネを介して、４で示される挟着体から成る洗濯挟みを吊り下げている。従って、当該棒状態の他端にチェーンを介して洗濯挟みが吊着されていることになる。
【００２４】
図２は、図２は、吸着面の正面矢視からの、本実施例の構成を表す。当該環状のバネは、当該挟着体の下方先端のみ当該挟着体と接触し、その他の部位は、本図が示すとおり、バネ貫通孔を、当該挟着体と所定の隙間を有して貫通している。当該挟着体が開放すると、当該バネが弾性体として機能し、当該挟着体の下方先端に当該バネの反力が加わり、当該衣類を挟着可能となる。この構造は、従来技術の洗濯挟みと同様である。
【００２５】
図３は、図２のＡ部における、本実施例の断面構造を表す。当該バネは、上記のとおり、当該挟着体の下方先端に接合されていて、その他の部位は、当該挟着体と所定の隙間を有して貫通している。また、３で示される固着スリーブは、２で示される吸盤と一体成型されていて、当該棒状体は、当該吸盤と一体である固着スリーブに挿入されて固着されている。
【００２６】
図４は、本実施例の１使用例を表す。本使用例では、本実施例を２個、８で示される窓ガラスに吸着させて、１０で示される衣類を、その上方両端部を当該挟着体にて挟着している。当該衣類の荷重が大きい場合には、９で示されるサッシ枠の上方部位に本実施例を吸着させて使用することもできる。本使用例の配置により、当該衣類と周囲の空気との接触面積が大きくなり、且つ、直達日射も十分に取得できる上、荷重が２箇所に分散するため、大きな集中荷重も発生しない。
【実施例２】
【００２７】
図５も、吸着面を正面とした場合の側方矢視による、本考案の１実施例の構成を表す。図６は、その正面矢視によるものである。実施例１とほぼ同様であるが、１で示される支持体が湾曲しており、実施例１のチェーンと支持体が一体となった形式である。当該支持体は、５で示されるバネに直接接合されている。
【００２８】
その他、４で示される挟着体、２で示される吸盤、３で示される固着スリーブ等は、実施例１と同一であるため、説明を省略する。使用方法も、実施例１と同一であり、図４と同様な配置にて使用することができる。
【実施例３】
【００２９】
図７も、吸着面を正面とした場合の側方矢視による、本考案の１実施例の構成を表す。実施例１との差異は、１で示されるとおりに成型された棒状体が、相対抗する挟着体のうちのひとつと一体となっていることである。また、本実施例では、実施例１と吸盤の形状の一部が異なり、１１で示される抜け留めを具備している。
【００３０】
図８は、吸着面の正面矢視からの、本実施例の構成を表す。当該抜け留めは、当該棒状体を貫通して、当該棒状体が当該吸盤に吊着された形式となっている。つまり、本実施例では、４で示される挟着体は、当該棒状体を介して当該吸盤に吊着されている形式となっているが、これは、実施例１のように当該棒状体に当該挟着体が吊着されているのと機能的には同様であるため、本実施例と実施例１とは、同一の考案であると考えられる。
【００３１】
その他の構成は、実施例１と同様であるため、説明を省略する。使用方法も、実施例１と同一であり、図４と同様な配置にて使用することができる。
【実施例４】
【００３２】
図９も、吸着面を正面とした場合の上方矢視による、本考案の１実施例の構成を表す。１で示される棒状体と４で示される挟着体の一片とは一体成型されていて、さらに、当該挟着体のもう一片と、５で示されるバネとも一体成型されていて、当該両挟着体の間に衣類を挿入する構造となっている。
【００３３】
図１０は、吸着面の正面矢視からの、本実施例の構成を表す。当該棒状体を水平方向に配設するものである。その他、固着スリーブなどの構成は、実施例１と同様であるため、説明を省略する。
【００３４】
図１１は、本実施例の１使用例を表す。本使用例では、本実施例を２個、８で示される窓ガラスに吸着させて、１０で示される衣類を、その上方両端部を当該挟着体にて挟着し、当該衣類が当該挟着体に吊着された形式になっている。つまり、当該衣類自体が、本実施例を介して当該窓ガラスに吊着された形式となっている。これは、実施例１のように当該棒状体に当該挟着体が吊着されているのと機能的には同様であるため、本実施例と実施例１とは、同一の考案であると考えられる。
【産業上の利用可能性】
【００３５】
窓ガラス、サッシ枠の任意の位置に設置可能であるため、洗濯物の乾燥のあらゆる箇所にて効率的、且つ、衛生的な乾燥を、利便性の喪失なく実現でき、洗濯物の乾燥を行うあらゆる箇所での利用が可能である。
【図面の簡単な説明】
【００３６】
【図１】実施例１側面図。吸着面を正面とした場合の側方からの本実施例の構成を示す。
【図２】実施例１正面図。吸着面正面からの本実施例の構成を示す。
【図３】実施例１例断面図。図２のＡ部における本実施例の断面構造を表す。
【図４】実施例１全体投影図。本実施例の１使用例の全体構成を示す。
【図５】実施例２側面図。吸着面を正面とした場合の側方からの本実施例の構成を示す。
【図６】実施例２正面図。吸着面正面からの本実施例の構成を示す。
【図７】実施例３側面図。吸着面を正面とした場合の側方からの本実施例の構成を示す。
【図８】実施例３正面図。吸着面正面からの本実施例の構成を示す。
【図９】実施例４側面図。吸着面を正面とした場合の側方からの本実施例の構成を示す。
【図１０】実施例４正面図。吸着面正面からの本実施例の構成を示す。
【図１１】実施例４全体投影図。本実施例の１使用例の全体構成を示す。
【符号の説明】
【００３７】
１    棒状体
２    吸盤
３    固着スリーブ
４    挟着体
５    バネ
６    チェーン
７    チェーン取付孔
８    窓ガラス（吸着面）
９    サッシ枠
１０  衣類
１１  抜け留め
１２  バネ貫通孔
【図１】
0003146745.tif 000003
【図２】
0003146745.tif 000004
【図３】
0003146745.tif 000005
【図４】
0003146745.tif 000006
【図５】
0003146745.tif 000007
【図６】
0003146745.tif 000008
【図７】
0003146745.tif 000009
【図８】
0003146745.tif 000010
【図９】
0003146745.tif 000011
【図１０】
0003146745.tif 000012
【図１１】
0003146745.tif 000013